(57)【要約】【課題】犬や猫等のペットの散歩時の糞、あるいは、医療現場において発生する汚物等を回収するための回収袋において、糞や汚物等が手に触れることを防止しながら、糞や汚物等を容易に掴んで回収することができるようにする。【解決手段】開口部３ａを有する外装袋３と、前記開口部３ａ近傍に一体的に固定されると共に前記外装袋３に出し入れ可能な内装袋５とを備えるペット用糞取り袋１を提供する。また、前記内装袋５が前記外装袋３内に収納された状態において、前記内装袋５の開口部５ａが、前記外装袋３の開口部３ａから外方に露出する回収袋１を提供する。【選択図】図１
2007167019.tif 000002
【特許請求の範囲】
【請求項１】
開口部を有する外装袋と、前記開口部近傍に一体的に固定されると共に前記外装袋に出し入れ可能な内装袋とを備えることを特徴とする回収袋。
【請求項２】
前記外装袋に、前記外装袋の開口部を閉塞する閉塞手段が設けられていることを特徴とする請求項１に記載の回収袋。
【請求項３】
前記閉塞手段が、前記外装袋の開口部の周縁から一体的に突出する一対の延出部を備え、これら一対の延出部が、前記外装袋の開口部を中にして相対する位置に配されていることを特徴とする請求項２に記載の回収袋。
【請求項４】
前記内装袋が前記外装袋内に収納された状態において、
前記内装袋の底部と前記外装袋内の底面部との間に隙間が形成されていることを特徴とする請求項１から請求項３のいずれか１項に記載の回収袋。
【請求項５】
前記内装袋が前記外装袋内に収納された状態において、
前記内装袋の開口部が、前記外装袋の開口部から外方に露出することを特徴とする請求項１から請求項４のいずれか１項に記載の回収袋。
【請求項６】
前記内装袋が前記外装袋内に収納された状態において、
前記内装袋の開口部が、前記外装袋の開口部から突出することを特徴とする請求項５に記載の回収袋。
【発明の詳細な説明】
【技術分野】
【０００１】
この発明は、犬や猫等のペットの散歩時の糞、あるいは、医療現場において発生する汚物等を回収するための回収袋に関する。
【背景技術】
【０００２】
従来、犬や猫等のペットを屋外で散歩させる際には、散歩途中において排泄された糞を回収する。この回収の際には、例えば、特許文献１のように、ビニール袋の開口部に蝶々型に形成されたシート状の掴み部を一体的に設けたペット用糞取り袋（回収袋）を使用する。この糞取り袋では、このシート状の掴み部を利用して、片手で糞を掴みあげると共にそのままビニール袋の中に入れることで、糞の回収が行われる。すなわち、糞の回収においては、シート状の掴み部が糞に触れることになる。
また、このペット用糞取り袋は、ビニール袋の中に糞が収納される構成となっているため、ビニール袋内が糞で満たされるまで、糞の回収を何度でも行うことができる。
【特許文献１】特開２００５−９５１１７号公報
【発明の開示】
【発明が解決しようとする課題】
【０００３】
しかしながら、上記従来のペット用糞取り袋では、ペットの糞を掴む部分がシート状となっているため、糞を掴みにくいという問題があり、また、糞の大きさによっては掴む際に糞が手に触れる虞もある。
また、医療現場においても、患者の汚物処理や手術時における内臓摘出が必要となる場合もあるが、上記従来と同様の回収袋を使用したとしても、汚物や内臓を掴みにくいという問題がある。
この発明は、上述した事情に鑑みてなされたものであって、上記糞や汚物、内臓等が手に触れることを防止しながら、これら糞や汚物、内臓等を容易に掴んで回収することができる回収袋を提供することを目的としている。
【課題を解決するための手段】
【０００４】
上記課題を解決するために、この発明は以下の手段を提案している。
本発明に係る回収袋は、開口部を有する外装袋と、前記開口部近傍に一体的に固定されると共に前記外装袋に出し入れ可能な内装袋とを備えることを特徴とする。
この発明に係る回収袋を用いて、例えばペットの糞を回収する際には、はじめに、内装袋を外装袋の外側に取り出し、内装袋に手を差し入れる。次いで、内装袋で糞を包むようにペットの糞を掴みあげて、糞及び内装袋を外装袋内に入れる。ここで、内装袋から手を取り出すことで、糞が外装袋内に収納されることになる。
【０００５】
また、本発明に係る回収袋は、前記外装袋に、前記外装袋の開口部を閉塞する閉塞手段が設けられていることを特徴とする。
さらに、本発明に係る回収袋は、前記閉塞手段が、前記外装袋の開口部の周縁から一体的に突出する一対の延出部を備え、これら一対の延出部が、前記外装袋の開口部を中にして相対する位置に配されていることを特徴とする。
【０００６】
また、本発明に係る回収袋は、前記内装袋が前記外装袋内に収納された状態において、前記内装袋の底部と前記外装袋内の底面部との間に隙間が形成されていることを特徴とする。
さらに、本発明に係る回収袋は、前記内装袋が前記外装袋内に収納された状態において、前記内装袋の開口部が、前記外装袋の開口部から外方に露出することを特徴とする。
また、本発明に係る回収袋は、前記内装袋が前記外装袋内に収納された状態において、前記内装袋の開口部が前記外装袋の開口部から突出することを特徴とする。
【発明の効果】
【０００７】
この発明によれば、例えば、ペットの糞を回収する際には内装袋に手を差し入れるため、糞が手に直接触れることを防止することができ、また、糞を容易に掴んで回収することもできる。さらに、糞を外装袋内に収納する構成となっているため、外装袋内が糞で満たされるまで、糞の回収を何度でも行うことができる。
また、外装袋に閉塞手段を設けた場合には、ペットの糞及び内装袋を外装袋内に収納した後に、閉塞手段により開口部を閉塞することにより、糞の匂いが外方に漏れ出すことを防ぐことができる。特に、閉塞手段を一対の延出部により構成した場合には、一対の延出部を結ぶだけで上記開口部を閉塞することができるため、開口部の閉塞を容易に行うことができる。
【０００８】
さらに、内装袋を外装袋内に収納した状態において、内装袋の底部と外装袋内の底面部との間に隙間がある場合には、底面部に配された糞と内装袋の底面との間に隙間ができる、すなわち、底面部に配された糞が内装袋に付着することを防止できる。したがって、２回目以降の糞の回収を行う際に内装袋を外装袋から取り出しても、上記糞が内装袋と共に外装袋の外側に出ることを防止して、回収袋を衛生的に使用することができる。
【０００９】
また、外装袋の開口部を開口した状態で外装袋内に収納された内装袋の開口部が外方に露出する場合には、内装袋内に手を容易に差し入れることができる。したがって、２回目以降の糞の回収を行う際に、外装袋内に収納された糞によって手が汚れることを防止することができる。
さらに、外装袋の開口部を開口した状態で内装袋の開口部が外方に突出する場合には、例えば、糞の回収の際に外装袋の開口部やその近傍に糞が付着したとしても、内装袋の開口部が汚れることを確実に防止して、内装袋に差し入れる手が汚れることを防ぐことができる。
【００１０】
なお、上述した回収袋は、例えば、医療現場において使用した場合にも同様の効果を奏する。すなわち、患者の汚物処理や手術時における内臓摘出を行う際にも、上記と同様に内装袋に手を差し入れることで汚物や内臓が手に直接触れることを防止できると共に、これら汚物や内臓を容易に掴んで回収することができる。
【発明を実施するための最良の形態】
【００１１】
図１は本発明に係る一実施形態を示している。図１に示すように、この実施の形態に係るペット用糞取り袋（回収袋）１は、犬、猫等のペットを散歩させる際にペットの糞を回収するためのものであり、開口部３ａを有する外装袋３と、外装袋３に一体的に固定されると共に外装袋３に収容された内装袋５とを備えている。これら外装袋３及び内装袋５は、薄いシート状のポリエチレン等のビニル樹脂やビニル繊維により形成されている。
【００１２】
外装袋３は、その内部にペットの糞を収納するものであり、少なくとも大型犬の１日分の糞量を収納できる程度の大きさを有することが好ましい。また、外装袋３には色や模様を施す等して不透明とすることで、内部に収納された糞が外方から視認されないようにすることも好ましい。
この外装袋３の開口部３ａの周縁には、外方に向けて突出する一対の取手部（延出部）７，９が形成されており、これら一対の取手部７，９は、外装袋３の開口部３ａを中にして相対する位置に配されている。各取手部７，９には穴１１，１３が形成されており、手指や腕を挿通させることができるようになっている。この一対の取手部７，９を結ぶことにより外装袋３の開口部３ａを閉塞することができる、すなわち、一対の取手部７，９により上記開口部３ａを閉塞する閉塞手段１５が構成されている。
【００１３】
内装袋５は、ペットの糞を外装袋３に入れるために使用するものであり、手を入れることができる程度の大きさを有している。また、この内装袋５は、外装袋３よりも小さな開口部５ａを有しており、また、外装袋３の深さ寸法よりも小さく形成されている。内装袋５は、その開口部５ａ近傍に位置する内装袋５の外面の一部を、外装袋３の開口部３ａ近傍に位置する外装袋３の内面の一部に熱圧着することで、外装袋３に固定されている。
【００１４】
以上のようにして内装袋５を外装袋３に固定することで、内装袋５のうち、上述した圧着部分Ｃ１よりも下側に位置する部分は、外装袋３に対して自由に動かすことができる。したがって、内装袋５は外装袋３に対して出し入れ可能となる。また、このように固定された内装袋５は、外装袋３内に収納された状態において、その開口部５ａが外装袋３の開口部３ａから突出している。さらに、上記収納状態においては、内装袋５の底部５ｂと外装袋３内の底面部３ｂとの間に隙間が形成されている。
【００１５】
以上のように構成されたペット用糞取り袋１を用いてペットの糞を回収する際には、はじめに、外装袋３及び内装袋５の開口部３ａ，５ａを開いて内装袋５に手を差し入れ、そのままの状態で内装袋５を外装袋３の外側に取り出す。次いで、内装袋５で糞を包むようにペットの糞を掴みあげて、糞及び内装袋５を外装袋３内に入れる。ここで、内装袋５から手を取り出すことで、糞が外装袋３内に収納されることになる。この際、外装袋３内に収納された内装袋５の底部５ｂと外装袋３内の底面部３ｂとの間には隙間が形成されているため、糞が内装袋５の底部５ｂから離れることになる。そして、一対の取手部７，９を結んで外装袋３の開口部３ａを閉塞することで、ペットの糞の回収作業が終了する。
【００１６】
なお、糞を外装袋３に収容した状態で再度ペットの糞を回収する際には、一対の取手部７，９の結びを解いて外装袋３及び内装袋５の開口部３ａ，５ａを再び開口させ、内装袋５に手を差し入れる等して上述と同様の動作を繰り返せばよい。
また、このペット用糞取り袋１を持ち運ぶ際には、一対の取手部７，９の穴１１，１３に手指や腕を挿通させることで、ペット用糞取り袋１を落としにくく両手も使うことが可能となるため、容易に持ち運ぶことができる。
【００１７】
上記のように、このペット用糞取り袋１によれば、ペットの糞を回収する際には内装袋５に手を差し入れるため、糞が手に直接触れることを防止することができ、また、糞を容易に掴んで回収することもできる。さらに、糞を外装袋３内に収納する構成となっているため、外装袋３内が糞で満たされるまで糞の回収を何度でも行うことができる。
さらに、内装袋５を外装袋３内に収納した状態においては、内装袋５の底部５ｂと外装袋３内の底面部３ｂとの間に隙間が形成されるため、外周袋内の底面部３ｂに配された糞が内装袋５に付着することを防止できる。したがって、２回目以降の糞の回収を行う際に内装袋５を外装袋３から取り出しても、上記糞が内装袋５と共に外装袋３の外側に出ることを防止して、ペット用糞取り袋１を衛生的に使用することができる。
【００１８】
また、内装袋５を外装袋３内に収納した状態においては、内装袋５の開口部５ａが外装袋３の開口部３ａから外方に露出させることができるため、内装袋５内に手を容易に差し入れることができる。したがって、２回目以降の糞の回収を行う際に、外装袋３内に収納された糞によって手が汚れることを防止することができる。特に、内装袋５を外装袋３内に収納した状態においては、内装袋５の開口部５ａが外装袋３の開口部３ａから外方に突出しているため、例えば、糞の回収の際に外装袋３の開口部３ａやその近傍に糞が付着したとしても、内装袋５の開口部５ａが汚れることを確実に防止して、内装袋５に差し入れる手が汚れることを防ぐことができる。
さらに、このペット用糞取り袋１では、一対の取手部７，９を結ぶことで外装袋３の開口部５ａを閉塞できるため、糞の匂いが外方に漏れ出すことを防ぐことができると共に、外装袋３の開口部５ａを閉塞したり開口する作業を容易に行うことができる。
【００１９】
なお、上記の実施形態において、内装袋５の開口部５ａは、外装袋３の開口部３ａから突出して配されるとしたが、これに限ることはなく、少なくとも外装袋３の開口部３ａから外方に露出していればよい、すなわち、外装袋３の開口部３ａの内側に配されるとしても構わない。この構成の場合であっても、内装袋５内に容易に手を差し入れることができ、２回目以降の糞の回収を行う際に、外装袋３内に収納された糞によって手が汚れることを防止することができる。
【００２０】
また、内装袋５は、外装袋３の内面の一部に熱圧着することで外装袋３に固定されるとしたが、これに限ることはなく、例えば、図２に示すように、内方袋５の外面を外装袋３の開口部３ａ近傍に位置する外装袋３の外面に熱圧着することで、外装袋３に固定されるとしても構わない。ただし、この構成の場合には、外装袋３の開口部３ａのうち、内装袋５を熱圧着した部分を内側に折り曲げることで、内装袋５が外装袋３内に収納されることになる。
さらに、内装袋５は、外装袋３に熱圧着により固定されるとしたが、これに限ることはなく、外装袋３と一体的に形成されるとしても構わない。この構成の場合には、ペット用糞取り袋１を製造する際に熱圧着する工程が不要となるため、ペット用糞取り袋１の製造効率の向上を図ることもできる。
【００２１】
また、一対の取手部７，９は、それぞれ手指や腕を挿通させるための穴１１，１３を形成して構成されるとしたが、これに限ることはなく、少なくともこれらを結ぶことで外装袋３の開口部３ａを閉塞できるように構成されていればよい。
さらに、閉塞手段１５は、上記一対の取手部７，９により構成されるとしたが、これに限ることはなく、少なくとも外装袋３の開口部３ａを閉塞できるものから構成されていればよい。すなわち、閉塞手段は、例えば、ジッパーにより構成されるとしても構わない。
【００２２】
また、内装袋５及び外装袋３は、ビニル樹脂やビニル繊維により形成されるとしたが、例えば、ポリエチレンに炭酸カルシウムを練り込んだものから形成されるとしても構わない。この場合には、糞を入れたペット用糞取り袋１を焼却炉等で燃やしても、有毒ガスが発生することを防止できる。また、内装袋５及び外装袋３は、例えば、紙や布から形成されるとしても構わない。
【００２３】
また、上記実施形態においては、犬や猫等のペットの糞を回収するためのペット用糞取り袋１として使用するとしたが、これに限ることはなく、各種の汚物等の回収する回収袋として使用することができる。すなわち、例えば、医療現場において、患者の汚物処理や手術時における内臓摘出を行う際にも、内装袋５に手を差し入れた状態で内装袋５を外装袋３の外側に取り出す。そして、内装袋５で上記汚物や内臓を包むようにして手で掴みあげ、そのまま汚物や内臓及び内装袋５を外装袋３内に入れればよい。これにより、汚物や内臓が手に直接触れることを防止できると共に、これら汚物や内臓を容易に掴んで回収することができる。ただし、手術において上記回収袋を使用する場合には、この回収袋を無菌な状態とする必要があり、また、取手部７，９を付けないことが好ましい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２４】
【図１】この発明の一実施形態に係るペット用糞取り袋を示す概略斜視図である。
【図２】この発明の他の実施形態に係るペット用糞取り袋を示す概略側断面図である。
【符号の説明】
【００２５】
１  ペット用糞取り袋（回収袋）
３  外装袋
３ａ  開口部
３ｂ  底面部
５  内装袋
５ａ  開口部
５ｂ  底部
７，９  取手部（延出部）
１５  閉塞手段
【図１】
2007167019.tif 000003
【図２】
2007167019.tif 000004